(57)【要約】【課題】音質を向上させる機能を有する音楽再生装置を提供すること。【解決手段】ＤＡＰ１は、デジタル音声信号をアナログ音声信号に変換するＤＡＣ７と、ＤＡＣ７が変換したアナログ音声信号を増幅する増幅回路８と、ＤＡＣ７と増幅回路８とに電源電圧を供給するリニアレギュレーター６と、ＤＡＣ７と増幅回路８とリニアレギュレーター６とを搭載するオーディオボード１１と、ＣＰＵと、リニアレギュレーター６とＣＰＵとに電源電圧を供給するＰＭＩＣ３と、ＣＰＵとＰＭＩＣ３とを搭載するＣＰＵボード１０と、音質優先モードの設定を受け付けるための操作部と、を備える。ＣＰＵは、操作部を介して、音質優先モードの設定を受け付けた場合、高負荷固定状態で動作する。【選択図】図３
2018137699.tif 000002
【特許請求の範囲】
【請求項１】
デジタル音声信号をアナログ音声信号に変換するＤ／Ａコンバーターと、
前記Ｄ／Ａコンバーターが変換した前記アナログ音声信号を増幅する増幅回路と、
前記Ｄ／Ａコンバーターと前記増幅回路とに電源電圧を供給する安定化電源回路と、
前記Ｄ／Ａコンバーターと前記増幅回路と前記安定化電源回路とを搭載するオーディオボードと、
制御部と、
前記安定化電源回路と前記制御部とに電源電圧を供給する電源制御回路と、
前記制御部と前記電源制御回路とを搭載するメインボードと、
音質優先モードの設定を受け付けるための操作部と、を備え、
前記制御部は、前記操作部を介して、前記音質優先モードの設定を受け付けた場合、高負荷固定状態で動作することを特徴とする音楽再生装置。
【請求項２】
前記制御部は、
複数のコアを有し、
前記音質優先モードの設定を受け付けた場合、全ての前記複数のコアを高クロック固定で動作させることを特徴とする請求項１に記載の音楽再生装置。
【発明の詳細な説明】
【技術分野】
【０００１】
本発明は、音楽を再生する音楽再生装置に関する。
【背景技術】
【０００２】
図４は、従来の音楽再生装置の構成を示すブロック図である。音楽再生装置１０１は、ＳｏＣ（System on Chip）１０２、ＰＭＩＣ（Power Management IC）１０３、無線モジュール１０４、ＳＤカードスロット１０５、リニアレギュレーター１０６、Ｄ／Ａコンバーター（以下、「ＤＡＣ」という。）１０７、増幅回路１０８、バッテリー１０９を備える。ＳｏＣ１０２、ＰＭＩＣ１０３、無線モジュール１０４、ＳＤカードスロット１０５は、ＣＰＵボード１１０に搭載されている。リニアレギュレーター１０６、ＤＡＣ１０７、増幅回路１０８は、オーディオボード１１１に搭載されている。ＰＭＩＣ１０３は、バッテリー１０９から供給される電源電圧を、ＳｏＣ１０２、無線モジュール１０４、オーディオボード１１１に供給する。
【０００３】
リニアレギュレーター１０６は、ＰＭＩＣ１０３から供給される電源電圧を、ＤＡＣ１０７、増幅回路１０８に供給する。ＳｏＣ１０２は、ＣＰＵ（Central Processing Unit）、ＤＳＰ（Digital Signal Processor）等を含む。ＣＰＵは、音楽再生以外のタスクを実行しながら、音楽を再生する。ＣＰＵの負荷変動は、消費電力の変化を激しく起こすため、この変化が電源電圧を揺らし、オーディオラインにノイズを出すことが分かっている。従来の音楽再生装置には、例えば、画面を消去したり、通信機能（Wi-Fi、Bluetooth（登録商標））をオフにしたりするスタンドアローンモードを有しているものがある（例えば、非特許文献１参照。）。スタンドアローンモードにより、ＣＰＵ負荷を抑えることができ、音質が向上する。
【先行技術文献】
【特許文献】
【０００４】
【非特許文献１】銭袋  秀明、“オンキヨー「DP-X1」＆パイオニア「XDP-100R」の機能性と音質をレビュー”、[online]、平成２７年１２月４日、株式会社カカクコム、［平成２８年６月１４日検索］、インターネット＜URL: https://mag.kakaku.com/av-kaden/?id=3604＞
【発明の概要】
【発明が解決しようとする課題】
【０００５】
しかしながら、スタンドアローンモードにおいては、通信機能がオフになっているため、ストリーミング再生を行えない等、不便であった。
【０００６】
本発明の目的は、音質を向上させる機能を有する音楽再生装置を提供することである。
【課題を解決するための手段】
【０００７】
第１の発明の音楽再生装置は、デジタル音声信号をアナログ音声信号に変換するＤ／Ａコンバーターと、前記Ｄ／Ａコンバーターが変換した前記アナログ音声信号を増幅する増幅回路と、前記Ｄ／Ａコンバーターと前記増幅回路とに電源電圧を供給する安定化電源回路と、前記Ｄ／Ａコンバーターと前記増幅回路と前記安定化電源回路とを搭載するオーディオボードと、制御部と、前記安定化電源回路と前記制御部とに電源電圧を供給する電源制御回路と、前記制御部と前記電源制御回路とを搭載するメインボードと、音質優先モードの設定を受け付けるための操作部と、を備え、前記制御部は、前記操作部を介して、前記音質優先モードの設定を受け付けた場合、高負荷固定状態で動作することを特徴とする。
【０００８】
本発明では、制御部は、操作部を介して、音質優先モードの設定を受け付けた場合、高負荷固定状態で動作する。これにより、消費電力の変動が抑制されるため、音質が向上する。
【０００９】
第２の発明の音楽再生装置は、第１の発明の音楽再生装置において、前記制御部は、複数のコアを有し、前記音質優先モードの設定を受け付けた場合、全ての前記複数のコアを高クロック固定で動作させることを特徴とする。
【発明の効果】
【００１０】
本発明によれば、消費電力の変動が抑制されるため、音質が向上する。
【図面の簡単な説明】
【００１１】
【図１】本発明の実施形態に係るデジタルオーディオプレーヤーの構成を示すブロック図である。
【図２】ダミータスクを処理させた場合のＣＰＵの消費電流を示す図である。
【図３】音質優先モードか否かに基づいて設定を行う場合のデジタルオーディオプレーヤーの処理動作を示すフローチャートである。
【図４】従来の音楽再生装置の構成を示すブロック図である。
【発明を実施するための形態】
【００１２】
以下、本発明の実施形態について説明する。図１は、本発明の実施形態に係るデジタルオーディオプレーヤー（以下、「ＤＡＰ」という。）の構成を示すブロック図である。ＤＡＰ１（音楽再生装置）は、ＳｏＣ２、ＰＭＩＣ３、無線モジュール４、ＳＤカードスロット５、リニアレギュレーター６、ＤＡＣ７、増幅回路８、バッテリー９、オーディオボード１０、ＣＰＵボード１１を備える。
【００１３】
ＳｏＣ２は、ＣＰＵ、ＤＳＰ等を含む。ＣＰＵ（制御部）は、制御プログラム、ＯＳプログラム、アプリケーションプログラムに従って、ＤＡＰ１を構成する各部を制御する。ＰＭＩＣ３（電源制御回路）は、電源制御ＩＣである。ＰＭＩＣ３は、バッテリーからの電源電圧を、ＳｏＣ２、無線モジュール４、リニアレギュレーター６に供給する。無線モジュール１１は、Ｂｌｕｅｔｏｏｔｈ（登録商標）規格、Ｗｉ−Ｆｉ規格に従った無線通信を行うためのものである。ＳＤカードスロット５には、ＳＤカードが挿入される。ＣＰＵは、ＳＤカードスロット５に挿入されたＳＤカードの情報を読み取る。
【００１４】
リニアレギュレーター６（安定化電源回路）は、ＰＭＩＣ３から供給される電源電圧を降圧して、ＤＡＣ７、増幅回路８に供給する。ＤＡＣ７（Ｄ／Ａコンバーター）は、デジタル音声信号をアナログ音声信号にＤ／Ａ変換する。増幅回路８は、ＤＡＣ７がＤ／Ａ変換したアナログ音声信号を増幅する。
【００１５】
表示部（不図示）は、種々の画像（静止画像、動画像を含む）を表示するものであり、液晶パネルにより構成されている。操作部（不図示）は、各種設定を行うための操作キー、及び、表示部と連動したタッチパネルを備えている。ユーザーは、操作部を介して、各種の文字入力、設定などを行うことが可能である。また、ユーザーは、操作部を介して、音質優先モードの設定を行うことができる。
【００１６】
ＣＰＵボード１０（メインボード）は、ＳｏＣ２、ＰＭＩＣ３、無線モジュール４、ＳＤカードスロット５を搭載している。オーディオボード１１は、リニアレギュレーター６、ＤＡＣ７、増幅回路８を搭載している。
【００１７】
ＣＰＵは、操作部を介して、音質優先モードの設定を受け付けた場合、高負荷固定状態で動作する。ここで、ＣＰＵは、複数のコア（例えば、４つ）を有している。ＣＰＵは、音質優先モードの設定を受け付けた場合、全ての複数のコアを高クロック（例えば、２２６５６０００Ｈｚ）固定で動作させる。
【００１８】
図２は、ダミータスクを処理させた場合のＣＰＵの消費電流を示す図である。図２の下段は、全ての複数のコアを高クロック固定で動作させた状態を示している。図２の上段は、通常状態を示している。図２に示すように、全ての複数のコアを高クロック固定で動作させた状態の方が、消費電流の変動が早く収束している。このように、消費電流の変動が抑制されるため、音質の向上につながる。
【００１９】
図３は、音質優先モードか否かに基づいて設定を行う場合のＤＡＰ１の処理動作を示すフローチャートである。ＣＰＵは、音質優先モードの設定を受け付けたか否かを判断する（Ｓ１）。ＣＰＵは、音質優先モードの設定を受け付けたと判断した場合（Ｓ１：Ｙｅｓ）、音質優先モードフラグを「１」に設定する（Ｓ２）。ＣＰＵは、音質優先モードの設定を受け付けなかったと判断した場合（Ｓ１：Ｎｏ）、音質優先モードフラグを「０」に設定する（Ｓ３）。Ｓ２、又は、Ｓ３の処理の後、ＣＰＵは、音質優先モードフラグを読み取る（Ｓ４）。次に、ＣＰＵは、音質優先モードフラグが「１」であるか否かを判断する（Ｓ５）。ＣＰＵは、音質優先モードフラグが「１」であると判断した場合（Ｓ５：Ｙｅｓ）、高負荷固定状態に設定する（Ｓ６）。ＣＰＵは、音質優先モードフラグが「１」でない、すなわち、「０」であると判断した場合（Ｓ５：Ｎｏ）、通常状態に設定する（Ｓ７）。なお、通常状態では、動作するコアの数、クロックが変動する。
【００２０】
以上説明したように、本実施形態では、ＣＰＵは、操作部を介して、音質優先モードの設定を受け付けた場合、高負荷固定状態で動作する。これにより、消費電力の変動が抑制されるため、音質が向上する。
【００２１】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００２２】
上述の実施形態においては、音楽再生装置として、ＤＡＰを例示した。これに限らず、スマートフォン、タブレットＰＣ、ＵＳＢ  ＤＡＣ等であってもよい。
【産業上の利用可能性】
【００２３】
本発明は、音楽を再生する音楽再生装置に好適に採用され得る。
【符号の説明】
【００２４】
１  ＤＡＰ（音楽再生装置）
２  ＳｏＣ
３  ＰＭＩＣ（電源制御回路）
６  リニアレギュレーター（安定化電源回路）
７  ＤＡＣ（Ｄ／Ａコンバーター）
８  増幅回路
１０  ＣＰＵボード（メインボード）
１１  オーディオボード
【図１】
2018137699.tif 000003
【図２】
2018137699.tif 000004
【図３】
2018137699.tif 000005
【図４】
2018137699.tif 000006